(57)【要約】【課題】特殊な加工が不要で、かつ段済みした際の横ずれや荷崩れを防止することができる段ボール箱を提供する。【解決手段】段ボール箱１は、４つの側板１１，１２，２１，２２を有しており、側板１２，２２に重ねるように補助側板２３，１３を接着する。これら補助側板２３，１３の上端縁に台形状の係合凸部２８，１８を突設させ、補助側板２３，１３の下端縁に台形状の係合凹部２９，１９を設ける。段ボール箱１を積み重ねる際に、下の段ボール箱１の係合凸部２８，１８に、上の段ボール箱１の係合凹部２９，１９を係合させる。【選択図】図１
2008110786.tif 000002
【特許請求の範囲】
【請求項１】
段ボールシートを折曲して組み合わせることにより直方体状に構成される段ボール箱において、
４つの側板と、
前記４つの側板の上側開口部を閉鎖して天面を構成する天面側フラップと、
前記４つの側板の下側開口部を閉鎖して底面を構成する底面側フラップと、
前記４つの側板のうちの少なくとも１つの側板の外面に重なるように配置された補助側板と、を備え、
前記補助側板は、前記１つの側板の上端縁から上方に突出する係合凸部と、前記１つの側板の下端縁から上方に切り欠かれた係合凹部とを有し、前記段ボール箱を上下に重ねた際に、下方に位置する前記段ボール箱の前記係合凸部が、上方に位置する前記段ボール箱の前記係合凹部に係合するような形状及び位置に、前記係合凹部及び前記係合凸部が形成されている、
ことを特徴とする段ボール箱。
【請求項２】
前記係合凸部が台形状に形成されている、
ことを特徴とする請求項１に記載の段ボール箱。
【請求項３】
前記補助側板に、前記係合凸部が複数形成され、これら複数の係合凸部にそれぞれ対応する複数の係合凹部が形成されている、
ことを特徴とする請求項１又は２に記載の段ボール箱。
【請求項４】
前記複数の係合凸部が前記１つの側板の前記上端縁の横方向の中心を基準として対称の位置に形成されている、
ことを特徴とする請求項３に記載の段ボール箱。
【請求項５】
前記複数の係合凸部が２個であり、これら２個の係合凸部が、前記１つの側板の前記上端縁を横方向に４等分する３箇所のうちの中央以外の２箇所にそれぞれ配置されている、
ことを特徴とする請求項４に記載の段ボール箱。
【請求項６】
前記係合凸部及び前記係合凹部を有する前記補助側板が、前記１つの側板に対向する側板の外面にも重なるように配置されている、
ことを特徴とする請求項１ないし５のいずれか１項に記載の段ボール箱。
【請求項７】
展開状態において、前記４つの側板のうちの１つである第１の側板と、前記第１の側板の横に隣接して連結された第２の側板と、前記第１の側板における、前記第２の側板とは反対側に連結された前記補助側板とを有する同形の段ボールシートを２つ準備し、これら２つの段ボールシートを折曲し、一方の段ボールシートの前記補助側板を他方の段ボールシートの前記第２の側板に接着し、また、前記他方の段ボールシートの前記補助側板を前記一方の段ボールシートの前記第２の側板に接着して構成した、
ことを特徴とする請求項６に記載の段ボール箱。
【請求項８】
前記補助側板が、前記一方及び他方の段ボールシートを接着する際の糊代として作用する、
ことを特徴とする請求項７に記載の段ボール箱。
【発明の詳細な説明】
【技術分野】
【０００１】
本発明は、高く積み上げて段積みしたときに発生しがちな横ずれや荷崩れを防止するようにした段ボール箱に関する。
【背景技術】
【０００２】
直方体状の段ボール箱は、中に製品等を収納した状態で高く積み上げて段積みすることがある。この際、段ボール箱は、一般に、天面及び底面が平面状に形成されているため、比較的容易に横ずれして整列を乱したり、また、極端な場合には荷崩れしたりするおそれがある。
【０００３】
本出願人は、先に、このような横ずれや荷崩れが起こりにくい段ボール箱を提案している（特許文献１参照）。
【０００４】
このものは、直方体状の段ボール箱において、天面を構成する天面側外フラップの上面に凸部（又は凹部）を形成し、底面を構成する底面側外フラップの下面に凹部（又は凸部）を形成する。これら凸部及び凹部は、段ボール箱を上下に重ねた際に、下側の段ボール箱の凸部（又は凹部）が、上側の段ボール箱の凹部（又は凸部）に係合するような形状及び位置に形成されている。これら凸部と凹部とが係合されることにより、段ボール箱に対して横方向の力が作用した場合でも、不要にずれることを防止するようにしている。
【特許文献１】特開２００５−１３２４０７号公報
【発明の開示】
【発明が解決しようとする課題】
【０００５】
しかしながら、特許文献１によると、凸部及び凹部を形成するためにプレス加工，エンボス加工等の特殊な加工、つまり通常の段ボール箱を製造する際には不要な加工を行う必要があった。また、段ボール箱を積み上げた際に相互に係合される凸部と凹部について、凸部（又は凹部）が下の段ボール箱の天面に形成され、凹部（又は凸部）が上の段ボール箱の底面に形成されているため、凸部と凹部との係合状態を外部から確認することができない。このため、段積みした段ボール箱が、確実に係合されていて、横ずれや荷崩れを防止できるような状態になっているのか否かを確認できないという問題があった。
【０００６】
そこで、本発明は、特殊な加工が不要で、かつ段済みした際の横ずれや荷崩れを防止することができ、しかも段積みした段ボール箱の係合状態を外部から簡単に確認することが可能な段ボール箱を提供することを目的とするものである。
【課題を解決するための手段】
【０００７】
請求項１に係る発明は、段ボールシートを折曲して組み合わせることにより直方体状に構成される段ボール箱に関する。本発明に係る段ボール箱は、４つの側板と、前記４つの側板の上側開口部を閉鎖して天面を構成する天面側フラップと、前記４つの側板の下側開口部を閉鎖して底面を構成する底面側フラップと、前記４つの側板のうちの少なくとも１つの側板の外面に重なるように配置された補助側板と、を備え、前記補助側板は、前記１つの側板の上端縁から上方に突出する係合凸部と、前記１つの側板の下端縁から上方に切り欠かれた係合凹部とを有し、前記段ボール箱を上下に重ねた際に、下方に位置する前記段ボール箱の前記係合凸部が、上方に位置する前記段ボール箱の前記係合凹部に係合するような形状及び位置に、前記係合凹部及び前記係合凸部が形成されている、ことを特徴としている。
【０００８】
請求項２に係る発明は、請求項１に係る段ボール箱において、前記係合凸部が台形状に形成されている、ことを特徴としている。
【０００９】
請求項３に係る発明は、請求項１又は２に係る段ボール箱において、前記補助側板に、前記係合凸部が複数形成され、これら複数の係合凸部にそれぞれ対応する複数の係合凹部が形成されている、ことを特徴としている。
【００１０】
請求項４に係る発明は、請求項３に係る段ボール箱において、前記複数の係合凸部が前記１つの側板の前記上端縁の横方向の中心を基準として対称の位置に形成されている、ことを特徴としている。
【００１１】
請求項５に係る発明は、請求項４に係る段ボール箱において、前記複数の係合凸部が２個であり、これら２個の係合凸部が、前記１つの側板の前記上端縁を横方向に４等分する３箇所のうちの中央以外の２箇所にそれぞれ配置されている、ことを特徴としている。
【００１２】
請求項６に係る発明は、請求項１ないし５のいずれか１項に係る段ボール箱において、前記係合凸部及び前記係合凹部を有する前記補助側板が、前記１つの側板に対向する側板の外面にも重なるように配置されている、ことを特徴としている。
【００１３】
請求項７に係る発明は、請求項６に係る段ボール箱において、展開状態において、前記４つの側板のうちの１つである第１の側板と、前記第１の側板の横に隣接して連結された第２の側板と、前記第１の側板における、前記第２の側板とは反対側に連結された前記補助側板とを有する同形の段ボールシートを２つ準備し、これら２つの段ボールシートを折曲し、一方の段ボールシートの前記補助側板を他方の段ボールシートの前記第２の側板に接着し、また、前記他方の段ボールシートの前記補助側板を前記一方の段ボールシートの前記第２の側板に接着して構成した、ことを特徴としている。
【００１４】
請求項８に係る発明は、請求項７に係る段ボール箱において、前記補助側板が、前記一方及び他方の段ボールシートを接着する際の糊代として作用する、ことを特徴としている。
【発明の効果】
【００１５】
請求項１の発明によれば、１つの側板に対して補助側板が重なるように配置されている、つまり２重になっているのでその分、圧縮強度を高めることができる。また、段ボール箱を上下に重ねた際に、下方の段ボール箱の係合凸部が、上方の段ボール箱の係合凹部に係合するので、下方の段ボール箱と上方の段ボール箱との水平方向の相対的な横ずれや、荷崩れを防止することができる。また、係合凸部は、補助側板の上端縁の一部を上方に突出させることで、また、係合凹部は、補助側板の下端縁の一部を上方に切り欠くことで形成することができるので、これらを加工するための特別な工程は不要である。
【００１６】
請求項２の発明によれば、係合凸部が台形状に形成されているので、突出量を比較的少なく、かつ左右方向の長さを適宜に設置することで、所望の強度を比較的容易に確保することができる。
【００１７】
請求項３の発明によれば、係合凸部及び係合凹部が複数、形成されているので、その分、横ずれや荷崩れに対する抵抗力が大きくなる。
【００１８】
請求項４の発明によれば、横方向の種々の方向から作用する、力に対して、有効に抵抗力を発揮することができる。
【００１９】
請求項５の発明によれば、段ボール箱を千鳥状に積み上げる場合に、係合凸部及び係合凹部を利用できる。すなわち、例えば、下の段ボール箱を２個並べて、それぞれ２個ある係合凸部が４個並べられた状態において、４個のうちの内側の２個の係合凸部を、上に重ねられた段ボール箱の２個の係合凹部に係合させることができる。この場合には、上の１個の段ボール箱は、下の２個の段ボール箱が相互に離れようとするのを防止することができる。
【００２０】
請求項６の発明によれば、係合凸部及び係合凹部を有する補助側板が１つの側板とこれに対向する側板とに設けられているので、これらを係合させることにより、横ずれや荷崩れに対する抵抗力が大きくなる。
【００２１】
請求項７の発明によれば、同形の２つの段ボールシートによって段ボール箱を作製することができるので、例えば、段ボールシートを打ち抜き加工する際の金型の種類を少なくすることができる。
【００２２】
請求項８の発明によれば、補助側板が一方及び他方の段ボールシートを接着する際の糊代として作用するので、別途に糊代を設ける必要がない。
【発明を実施するための最良の形態】
【００２３】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
【００２４】
＜実施形態１＞
図１〜図６を参照して、本発明に係る段ボール箱１について説明する。なお、本実施形態では、段ボールシール１０，２０の種類がＷ段（Ｗフルート）である場合を例に説明するがこれらの限定されるものではなく、例えば、Ａ段やＢ段であってもよい。これらの図においては、段ボールシート１０，２０の厚さは、適宜、図示を省略している。図１〜図６のうち、図１は、天面側内フラップ（天面側フラッパ）１６，２６及び天面側外フラップ（天面側フラッパ）１４，２４を開放した状態の段ボール箱１を示す斜視図である。図２は段ボール箱１を図１中の矢印Ａ方向から見た図である。図３は図１中のＢ−Ｂ線矢視図である。図４は段ボール箱１を分解して展開した図である。図５は段ボール箱１を段積みした状態を説明する図である。図６は段ボール箱１を別の方法で段積みした状態を説明する図である。
【００２５】
図１〜図３に示すように、段ボール箱１は、直方体状に形成されたいわゆるＡ式のものである。また、本実施形態では、段ボール箱１は、図４に展開図で示す２枚の同形の段ボールシート１０，２０を折曲し、組み合わせて接着することで、直方体状に形成している。なお、本実施形態では、段ボールシート１０，２０の種類は、図１に示すように、Ｗ段（Ｗフルート）のものを使用しているが、これに限定されず、例えばＡ段（Ａフルート）やＢ段（Ｂフルート）等のものを使用することもできる。
【００２６】
図４に示すように、一方の段ボールシート１０は、第１の側板１１と、同図中においてこの第１の側板１１の右に隣接して連続する第２の側板１２と、第１の側板１１の左に隣接して連続する補助側板１３と、を有している。また、第１の側板１１の上端縁１１ａには天面側外フラップ１４が連結され、下端縁１１ｂには底面側外フラップ（底面側フラップ）１５が連結されている。同じく、第２の側板１２の上端縁１２ａには天面側内フラップ１６が連結され、下端縁１２ｂには底面側内フラップ（底面側フラップ）１７が連結されている。補助側板１３は、その上端縁１３ａから２つの係合凸部１８が上方に向けて突設されている。また、補助側板１３の下端縁１３ｂには、左右方向の位置が上述の係合凸部１８と同じで、係合凸部１８とほぼ同形の係合凹部１９が上方に向けて切り欠かれている。また、補助側板１３のほぼ中央には、手を引っ掛けるための把手孔３１が穿設されている。なお、これら係合凸部１８、係合凹部１９、及び把手孔３１については後に詳述する。
【００２７】
他方の段ボールシート２０も、上述の一方の段ボールシート１０と同様に形成されている。すなわち、他方の段ボールシート２０は、第１の側板２１と、同図中においてこの第１の側板２１の右に隣接して連続する第２の側板２２と、第１の側板２１の左に隣接して連続する補助側板２３とを有している。また、第１の側板２１の上端縁２１ａには天面側外フラップ（天面側フラップ）２４が連結され、下端縁２１ｂには底面側外フラップ（底面側フラップ）２５が連結されている。同じく、第２の側板２２の上端縁２２ａには天面側内フラップ（天面側フラップ）２６が連結され、下端縁２２ｂには底面側内フラップ（底面側フラップ）２７が連結されている。補助側板２３は、その上端縁２３ａから２つの係合凸部２８が上方に向けて突設されている。また、下端縁２３ｂには、左右方向の位置が上述の係合凸部２８と同じで、係合凸部２８とほぼ同形の係合凹部２９が上方に向けて切り欠かれている。また、補助側板２３のほぼ中央には、手を引っ掛けるための把手孔３２が穿設されている。なお、これら係合凸部２８、係合凹部２９、及び把手孔３２については後に詳述する。
【００２８】
これら段ボールシート１０，２０によって、段ボール箱１を構成するには、まず、一方の段ボールシート１０を、図３に示すような「コ」字形に折り込む。すなわち、第１の側板１１と第２の側板１２との境界、及び第１の側板１１と補助側板１３との境界を９０度谷折りする。同様に、他方の段ボールシート２０を図３に示すような「コ」字形に折り込む。すなわち、第１の側板２１と第２の側板２２との境界、及び第１の側板２１と補助側板２３との境界を９０度谷折りする。この状態で、図３に示すように、他方の段ボールシート２０側の第２の側板２２の外面を覆うように、一方の段ボールシート１０側の補助側板１３を重ね合わせ、第２の側板２２と補助側板１３とを接着剤等によって接着する。同様に、図３に示すように、一方の段ボールシート１０側の第２の側板１２の外面を覆うように、他方の段ボールシート２０側の補助側板２３を重ね合わせ、第２の側板１２と補助側板２３とを接着剤等によって接着する。その後、底面側内フラップ１７，２７を内側に折り込み、底面側外フラップ１５，２５を内側に折り込んで、これら底面側外フラップ１５，２５の先端を合わせて粘着テープ（不図示）で張り合わせる。これにより、底面が完成する。さらに、段ボールシート１の内側に、収納物（不図示）を収納した後、天面側内フラップ１６，２６を内側に折り込み、天面側外フラップ１４，２４を内側に折り込んで、これら天面側外フラップ１４，２４の先端を合わせて粘着テープ（不図示）で張り合わせる。これにより、天面が構成されて、収納物の梱包が完了する。
【００２９】
図１，図２を参照して、上述の段ボールシート１０，２０を折曲し、また接着して作製された段ボール箱１について説明する。ただし、これらの図においては、天面側内フラップ１６，２６については内側に折れた半開きの状態を、また、天面側外フラップ１４，２４については、外側に開かれた状態を図示している。
【００３０】
段ボール箱１は、４つの側板、すなわち、相互に対向する第１の側板１１，２１と、同じく相互に対向する第２の側板１２，２２とを備えている。図２，図３中では、第１の側板１１の右端に第２の側板が下方に９０度折曲された状態で連結され、また、第１の側板１１の左端に補助側板１３が下方に９０度折曲された状態で連結されている。また、これらの図中では、第１の側板２１の左端に第２の側板２２が上方に９０度折曲された状態で連結され、また、第１の側板２１の右端に補助側板２３が上方に９０度折曲された状態で連結されている。そして、これらの図中で、右側に位置する第２の側板１２の外面に補助側板２３が重なるように接着されている。同様に、これらの図中で、左側に位置する第２の側板２２の外面に補助側板１３が重なるように接着されている。相互に接着される第２の側板１２と補助側板２３、及び第２の側板２２と補助側板１３は、図４に示すようにほぼ同形に形成されているので、これらの接着部分では、側板が２重になっている。つまり、段ボール箱１の４つの側面を、６枚の側板で構成していることになる。このため、１重の場合と比較して、圧縮強度を高めることができる。また、補助側板１３，２３は、段ボールシート１０，２０を折曲し、接着する際の糊代としても作用するので、他の部分に特別に糊代を設ける必要がなく、その分、構成を簡略化することができる。なお、図１においては、補助側板１３，２３の上端縁１３ａ，１３ｂ近傍が、シートを２枚重ねられたように図示されているが、これは段ボールシートを２枚重ねたものではなく、段ボールシートが上述のようにＷ段によって構成されていることを示している。
【００３１】
上述のように、底面は、底面側内フラップ１７，２７を９０度、内側に折りこみ、これに重なるようにして、底面側外フラップ１５，２５を９０度、内側に折り込み、底面側外フラップ１５，２５の突き合わせ部分を粘着テープで張り合わせることで構成することができる。
【００３２】
底面を完成した後、天面側内フラップ１６，２６、及び天面側外フラップ１４，２４を開き、内側に収納物を収納する。その後、天面側内フラップ１６，２６を９０度、内側に折り込み、さらに、これに重なるように、天面側外フラップ１４，２４を９０度、内側に折り込み、突き合わせ部分を粘着テープで張り合わせることで、第段ボール箱１全体を構成して、梱包を完成することができる。
【００３３】
この状態で、補助側板１３の上端縁１３ａに突設された係合凸部１８、及び補助側板２３の上端縁２３ａに突設された係合凸部２８は、天面から上方に突出するようになっている。本実施形態では、係合凸部１８，２８は、台形状に形成されている。このように、台形状に形成することにより、図５に示すように、左右方向の幅ｗ、突出高さｈ、及び脚部の傾斜角度を任意に設定することができるので、段ボール箱１の大きさや、段ボールシート１０，２０の厚さ、さらには内部に収納する収納物の重量等に応じて、適宜な寸法に設定することが可能である。また、係合凸部１８，２８が台形状に形成されており、係合凸部１９，２９も同形に形成することにより、段ボール箱１を積み重ねたり、積み降ろしたりする際に、係合凸部１８，２８と係合凹部１９，２９の係脱が容易となる。
【００３４】
また、本実施形態では、係合凸部１８は、１つの補助側板１３の上端縁１３ａに２個配置されている。その位置は、図５に示すように、補助側板１３の左右方向の中心を通る中心線Ｃに対して、距離ｘの線対称の位置に配置されている。また、補助側板１３の下端縁１３ｂには、それぞれの係合凸部１８の直下に、係合凸部１８とほぼ同形の係合凹部１９が切り欠かれている。なお、補助側板２３についても、同様に、上端縁２３ａに２個の係合凸部２８が突設され、下端縁２３ｂに２個の係合凸部２８と同形の係合凹部２９が形成されている。
【００３５】
本実形態では、２つの補助側板１３，２３は、相互に対向する位置に配置されている。また、上述のように、補助側板１３の２つの係合凸部１８は、中心線Ｃを基準に線対称の位置に配置されており、同様に、補助側板２３の２つの係合凸部２８についても同様である。したがって、本実施形態では、下の段ボール箱１に上の段ボール箱１を重ねる際に、水平面上で１８０度回転した状態でも重ね合わせることができる。このため、収納物を収納後の段ボール箱１に前後左右の区別がない場合（例えば、みかん箱等）には、積み上げ作業を効率的に行うことができる。
【００３６】
さらに、例えば、図２に示すように、２つの係合凸部２８（１８）の中心が、補助側板２３（１３）の中心線Ｃと端縁との間に、すなわち、補助側板２３（１３）の上端縁２３ａを長さｙで４等分する箇所に位置するように配置することができる。この場合には、図６に示すように、段ボール箱１を下段から上段にかけて互い違いに（千鳥状に）なるように積み上げることが可能となる。つまり、下に位置する２個の段ボール箱１において、相互に近い側の２個の係合凸部１８を、上に重ねられる１個の段ボール箱１の２個の係合凹部１８に係合させることができる。この場合は、これらの係合によって、段ボール箱１の横ずれや段崩れを一層確実に防止することができる。なお、図６では、把手孔３１を省略している。
【００３７】
また、本発明においては、係合凸部１８と係合凹部１９との係合状態、すなわち正常に係合されているか否かを、外部から簡単に視認することができるので、係合されない状態で放置されるおそれがない。
【００３８】
また、図５に示すように、補助側板１３（２３）には、把手孔３１（３２）が穿設されているが、上述のように補助側板１３（２３）は第２の側板２２（１２）に重なるように接着されているので、把手孔３１（３２）は閉鎖された状態の、段ボールシート１枚分の厚さの凹部になる。この把手孔３１（３２）は、段ボール箱１の持ち運び時等に、指を掛けるのに使用することができる。さらに、この把手孔３１（３２）は、段ボール箱１の内側には貫通されていないので、この把手孔３１（３２）を通って外部の塵埃等が段ボール箱１の内部に侵入したりするおそれはない。
【００３９】
上述の実施形態では、係合凸部１８，２８の形状を台形状にしたが、これに限定されるものではなく、例えば、三角形状、半円状等の形状とすることも可能である。
【００４０】
また、上述では、相互に対向する位置に配置された補助側板１３，２３のそれぞれに係合凸部１８，２８及び係合凹部１９，２９を設けた場合を例に説明したが、これに限定されず、いずれか一方の補助側板のみに設けるようにしてもよい。
【００４１】
また、１つの補助側板１３（又は２３）に設ける係合凸部、及び係合凹部がそれぞれ２個である場合を例に説明したが、１個、又は３個以上とすることも可能である。なお、図２に示すように、係合凸部１８，２８を中心線Ｃにかからないように配置することで、天面側外フラップ１４，２４を内側に折り曲げて両者の突き合わせ部を粘着テープで止める際に、中心を通る粘着テープが、係合凸部１８，２８に干渉することを防止することができる。
【００４２】
また、上述では、本発明を直方体状（四角柱状）の段ボール箱１に適用する例を説明したが、これに限らず、角柱状の段ボール箱であれば、４角柱以外の、例えば、３角柱，５角柱、６画柱、８角柱等のものに対しても適用することができ、この場合にもほぼ同等の効果をあげることができる。
【産業上の利用可能性】
【００４３】
本発明を段ボール箱に適用する場合について説明したが、これに限定されず、厚手のボール紙によって構成された箱に対しても広く適用することができる。
【図面の簡単な説明】
【００４４】
【図１】天面側内フラップ及び天面側外フラップを開放した状態の段ボール箱を示す斜視図である。
【図２】段ボール箱を図１中の矢印Ａ方向から見た図である。
【図３】図１中のＢ−Ｂ線矢視図である。
【図４】段ボール箱を分解して展開した図である。
【図５】段ボール箱を段積みした状態を説明する図である。
【図６】段ボール箱を別の方法で段積みした状態を説明する図である。
【符号の説明】
【００４５】
１……段ボール箱、１０……一方の段ボールシート、１１，２１……第１の側板、１２，２２……第２の側板、１２ａ，２２ａ……上端縁、１２ｂ，２２ｂ……下端縁、１３，２３……補助側板、１４，２４……天面側外フラップ（天面側フラップ）、１５，２５……底面側外フラップ、１６，２６……天面側内フラップ（天面側フラップ）、１７，２７……底面側内フラップ、１８，２８……係合凸部、１９，２９……係合凹部、２０……他方の段ボールシート
【図１】
2008110786.tif 000003
【図２】
2008110786.tif 000004
【図３】
2008110786.tif 000005
【図４】
2008110786.tif 000006
【図５】
2008110786.tif 000007
【図６】
2008110786.tif 000008